(57)【要約】【課題】広範囲にガンマ補正特性を調整できる汎用性の高いガンマ補正回路を提供する。【解決手段】ガンマ補正回路１０では、各ガンマ特性調整ユニット２１（１）−２１（ｎ）は、補正調整データＡＤに基づいて、基本電圧生成回路１１で生成された基本電圧から基準電圧を選択し、また基準電圧の出力先としてガンマ補正抵抗回路１３の基準電圧出力端子候補から基準電圧出力端子を選択する。このように２段階の選択による２重の調整が可能であるので、ガンマ補正特性の調整範囲を広くすることが可能となる。【選択図】　　　図２
2004111262.tif 000002
【特許請求の範囲】
【請求項１】
一端に第１の高電位側電源が接続され他端に第１の低電位側電源が接続され前記第１の高電位側電源の電圧と前記第１の低電位側電源の電圧との間を分割して複数の基本電圧を生成して出力する基本電圧生成回路と、
第２の高電位側電源と第２の低電位側電源との間に直列に接続した複数の抵抗素子と、該抵抗素子の接続点に設けられた階調電圧出力端子およびそれぞれが最大でｕ（ｕは正整数）個の基準電圧出力端子候補を含むｎ（ｎは正整数）グループの基準電圧出力端子グループとを有するガンマ補正抵抗回路と、
補正調整データに基づき前記基本電圧生成回路から供給される最大でｖ（ｖは正整数）個の基本電圧の中から１個を基準電圧として選択するとともに選択された基準電圧の出力端子を前記補正調整データに基づき前記基準電圧出力端子グループに含まれる最大でｕ個の電圧出力端子の中から選択するｎ個のガンマ特性調整ユニットを前記基準電圧出力端子グループのそれぞれに対応させて有するガンマ補正調整回路と、
を備えることを特徴とするガンマ補正回路。
【請求項２】
前記基本電圧生成回路は、
前記第１の高電位側電源と前記第１の低電位側電源との間に直列に接続した複数の抵抗素子を有し前記抵抗素子の接続点から各基本電圧を出力することを特徴とする請求項１に記載のガンマ補正回路。
【請求項３】
前記ガンマ特性調整ユニットは、
前記補正調整データを所定のタイミングで取り込み保持するデータラッチと、
複数の基本電圧を入力し前記データラッチに保持された補正調整データに基づいて前記基本電圧の中から１個を基準電圧として選択して出力する基準電圧セレクタと、
第１の端子、第２の端子、スイッチ回路および基準電圧出力端子グループを構成する複数の電圧出力端子を有し前記データラッチに保持された補正調整データに基づいて前記スイッチ回路により前記第１の端子および前記第２の端子と接続される基準電圧出力端子を前記基準電圧出力端子グループの電圧出力端子の中から選択する接続点セレクタと、
前記基準電圧セレクタの出力が正入力端に入力され接続点セレクタ４４負入力端が前記第１の端子に接続され出力端が前記第２の端子に接続された演算増幅器とを備えることを特徴とする請求項１に記載のガンマ補正回路。
【請求項４】
前記データラッチに保持された補正調整データの第１の所定部分により前記基準電圧セレクタが基準電圧を選択し、前記補正調整データの第２の所定部分により前記接続点セレクタが基準電圧出力端子を選択することを特徴とする請求項３に記載のガンマ補正回路。
【請求項５】
前記接続点セレクタは、
それぞれの一端が共通に接続されるとともに前記第１の端子および前記第２の端子と接続され他端が対応する基準電圧出力端子グループのそれぞれの電圧出力端子に接続された複数のスイッチを含み前記補正調整データに基づいて選択されたスイッチを導通させるスイッチ回路を有することを特徴とする請求項３に記載のガンマ補正回路。
【請求項６】
前記接続点セレクタは、
他端が複数のスイッチを含み前記補正調整データに基づいて選択されたスイッチを導通させるスイッチ回路
それぞれの一端が共通に接続されるとともに前記第１の端子と接続され他端が対応する基準電圧出力端子グループのそれぞれの電圧出力端子に接続された複数のスイッチを含む第１のスイッチ回路と、
前記第１のスイッチ回路内のスイッチと対応して設けられた同数のスイッチを含みそれぞれのスイッチの一端が共通に接続されるとともに前記第２の端子と接続され他端が前記第１のスイッチ回路内の対応するスイッチの他端と接続された第２のスイッチ回路とを有し、
前記補正調整データにより選択された前記第１のスイッチ回路内のスイッチおよび該スイッチに対応する前記第２のスイッチ回路内のスイッチを導通させることを特徴とする請求項３に記載のガンマ補正回路。
【請求項７】
請求項１乃至請求項６のいずれか一つに記載のガンマ補正回路を備えたことを特徴とする表示パネル駆動装置。
【発明の詳細な説明】
【０００１】
【発明の属する技術分野】
本発明は、液晶パネル、エレクトロルミネセンスパネルなど、印加電圧と光学特性の調整を要するパネルモジュールを駆動する際に使用するガンマ補正回路に関する。
【０００２】
【従来の技術】
一般に液晶パネル、エレクトロルミネセンスパネル等の光学特性は、印加電圧に対して非直線の光透過率特性を有している。このため、駆動回路においてモジュールのもつ非直線の光透過率特性に適合するように電圧を補正する所謂ガンマ補正を行ってからこれらのパネルモジュールを駆動する必要がある。
【０００３】
図６は表示システムの全体の構成を示すブロック図である。表示パネル１０３のデータ線ＤＯ（１）−ＤＯ（ｋ）を駆動する表示パネル駆動装置１０５は、ガンマ補正回路１００とデータ線駆動回路１０１とを含んで構成され、ガンマ補正回路１００によりパネルの特性に合わせて補正された階調電圧ＶＧがデータ線駆動回路１０１に供給される。データ線駆動回路１０１は、画像の赤、緑、青の階調表示デジタルデータＤを入力し、コントローラ１０４からの制御信号Ｃ１のもとにガンマ補正が施された階調電圧にデジタル・アナログ変換し、データ線駆動出力電圧ＤＯ（０）−ＤＯ（ｋ）を表示パネル１０３に供給する。走査線駆動回路１０２は、コントローラ１０４からの制御信号Ｃ２の下に表示パネル１０３の走査線を駆動する。
【０００４】
図７はガンマ補正が施された階調表示デジタルデータとデータ線駆動出力電圧との関係を示す特性図である。一般には、ガンマ補正回路の抵抗を個別に変更することによりパネルの特性に合わせてガンマ補正を行っている。しかしながら、例えばコントローラからの調整信号などで制御することによりガンマ補正特性の調整を容易にしたいという要求が強くなっており、特許文献１にガンマ補正特性の調整が可能なガンマ補正回路が開示されている。
【０００５】
図８は、特許文献１に開示された従来のガンマ補正特性の調整が可能なガンマ補正回路の回路図である。ガンマ補正回路は、基準電圧生成回路１１１と、電圧調整回路１１２（１）−１１２（ｎ）と、ガンマ補正抵抗回路１１３を備えて構成される。基準電圧生成回路１１１は、高位側電源ＶＨと低位側電源ＶＬとの間に設けられた抵抗により電圧を分割してｎ個の基準電圧を生成する。電圧調整回路１１２（１）−１１２（ｎ）のそれぞれは対応する基準電圧を入力し、補正調整データＡＤに基づいて該基準電圧に対して所望の電圧降下を発生させて電圧値を上方または下方に調整し、調整済みの基準電圧Ｖ（１）−Ｖ（ｎ）を出力する。ガンマ補正抵抗回路１１３は、高位側電源ＶＨと低位側電源ＶＬとの間に設けられた抵抗によりパネルモジュールのガンマ特性に近似させた階調電圧ＧＶ（１）−ＧＶ（８ｎ＋７）を出力する。電圧調整回路１１２（１）−１１２（ｎ）の出力がガンマ補正抵抗回路１１３における階調電圧ＧＶ（８），ＧＶ（１６），，，ＧＶ（８ｎ）の出力端子に供給されているので、補正調整データＡＤにより階調電圧ＧＶ（８），ＧＶ（１６），，，ＧＶ（８ｎ）を変化させてガンマ補正抵抗回路１１３の補正特性を調整することができる。
【０００６】
図９はこの従来例におけるガンマ補正が施された階調表示デジタルデータとデータ線駆動出力電圧との関係を示す特性図である。階調電圧ＧＶ（８），ＧＶ（１６），，，ＧＶ（８ｎ）の電圧値を補正調整データＡＤにより容易に調整でき、ガンマ補正特性をパネルの特性に合わせることができる。
【０００７】
【特許文献１】
特開２００１−１６６７５１号公報（段落００３７〜００４０、図１）
【０００８】
【発明が解決しようとする課題】
しかしながら、近年パネルモジュールの種類が多様化し、これに伴って特許文献１に記載された従来例よりもさらに広範囲にガンマ補正特性を調整できる汎用性の高いガンマ補正回路が要求されている。本発明はこのような状況に鑑みてなされたものであり、本発明の目的は広範囲にガンマ補正特性を調整できる汎用性の高いガンマ補正回路を提供することである。
【０００９】
【課題を解決するための手段】
本発明のガンマ補正回路は、一端に第１の高電位側電源が接続され他端に第１の低電位側電源が接続され前記第１の高電位側電源の電圧と前記第１の低電位側電源の電圧との間を等分割して複数の基本電圧を生成して出力する基本電圧生成回路と、第２の高電位側電源と第２の低電位側電源との間に直列に接続した複数の抵抗素子と、該抵抗素子の接続点に設けられた階調電圧出力端子およびそれぞれが最大でｕ（ｕは正整数）個の基準電圧出力端子候補を含むｎ（ｎは正整数）グループの基準電圧出力端子グループとを有するガンマ補正抵抗回路と、補正調整データに基づき前記基本電圧生成回路から供給される最大でｖ（ｖは正整数）個の基本電圧の中から１個を基準電圧として選択するとともに選択された基準電圧の出力端子を前記補正調整データに基づき前記基準電圧出力端子グループに含まれる最大でｕ個の電圧出力端子の中から選択するｎ個のガンマ特性調整ユニットを前記基準電圧出力端子グループのそれぞれに対応させて有するガンマ補正調整回路と、を備えて構成される。
【００１０】
前記ガンマ特性調整ユニットは、前記補正調整データを所定のタイミングで取り込み保持するデータラッチと、複数の基本電圧を入力し前記データラッチに保持された補正調整データに基づいて前記基本電圧の中から１個を基準電圧として選択して出力する基準電圧セレクタと、第１の端子、第２の端子、スイッチ回路および基準電圧出力端子グループを構成する複数の電圧出力端子を有し前記データラッチに保持された補正調整データに基づいて前記スイッチ回路により前記第１の端子および前記第２の端子と接続される基準電圧出力端子を前記基準電圧出力端子グループの電圧出力端子の中から選択する接続点セレクタと、前記基準電圧セレクタの出力が正入力端に入力され接続点セレクタ４４負入力端が前記第１の端子に接続され出力端が前記第２の端子に接続された演算増幅器とを備えて構成される。
【００１１】
【発明の実施の形態】
以下、本発明の好ましい実施の形態について、添付図面を参照しながら詳細に説明する。なお、以下の説明は、本発明の実施の形態を示すものであり、本発明が以下の説明に限定されて解釈されるものではない。
【００１２】
図１は本発明のガンマ補正回路を含む表示パネル駆動装置のブロック図である。表示パネル駆動装置１０５ａは、本発明のガンマ補正回路１０とデータ線駆動回路１０１とを備え、本発明のガンマ補正回路１０は図６におけるガンマ補正回路１００に代えて使用される。ガンマ補正回路１０は、基本電圧生成回路１１と、ガンマ補正調整回路１２と、ガンマ補正抵抗回路１３とを備えて構成されている。ガンマ補正回路１０からの出力である階調電圧ＧＶはデータ線駆動回路１０１に印加され、データ線駆動回路１０１から階調表示デジタルデータＤに応じたデータ線駆動出力電圧ＤＯ（１）−ＤＯ（ｋ）が表示パネルに出力される。
【００１３】
図２は、本発明のガンマ補正回路１０の一実施の形態の回路図である。
【００１４】
基本電圧生成回路１１は、一端に第１の高電位側電源である電源ＶＨ１が接続され、他端に第１の低電位側電源である電源ＶＬ１が接続され、電源ＶＨ１の電圧と電源ＶＬ１の電圧との間を等分割してｍ（ｍは正整数）種類の基本電圧ＢＶ（１）−ＢＶ（ｍ）を生成して出力する。基本電圧生成回路１１は、電源ＶＨ１と電源ＶＬ１との間に直列に接続した少なくとも（ｍ−１）個の同一抵抗値の抵抗素子を有し、各抵抗素子の接続点から基本電圧が取り出される。
【００１５】
ガンマ補正抵抗回路１３は、第２の高電位側電源である電源ＶＨ２と第２の低電位側電源である電源ＶＬ２との間に直列に接続された複数の抵抗素子を有し、また、抵抗素子の接続点に設けられた階調電圧ＧＶ（１）−ＧＶ（８ｎ＋７）の出力端子および例えばＧＶ（８）ａ−ＧＶ（８）ｄのようにそれぞれが最大でｕ（ｕは正整数）個の基準電圧出力端子候補を含むｎ（ｎは正整数）グループの基準電圧出力端子グループを有している。
【００１６】
ここで基準電圧出力端子候補とは、基準電圧出力端子グループに含まれる電圧出力端子を指し、基準電圧出力端子候補の中から選択された１個が実際に基準電圧を出力する基準電圧出力端子となる。
【００１７】
ガンマ補正調整回路１２は、ｎ個のガンマ特性調整ユニット２１（１）−２１（ｎ）を含む。各ガンマ特性調整ユニット２１（ｉ）は、補正調整データＡＤに基づいて、基本電圧生成回路１１から供給される最大でｖ（ｖは正整数、ｖ＜ｍ）個の基本電圧の中から１個を基準電圧として選択するとともに、選択された基準電圧の出力端子を補正調整データＡＤに基づいて、対応する基準電圧出力端子グループに含まれる最大でｕ個の基準電圧出力端子候補の中から選択する。
【００１８】
図２では、図面と説明の簡便化のためにｕ＝４，ｖ＝４としてあるが、本発明がこれに制限されるものではない。次に、図２のガンマ特性調整ユニット２１（１）に注目してガンマ補正回路１０の動作を説明する。
【００１９】
ガンマ特性調整ユニット２１（１）には基本電圧生成回路１１で生成されたｍ個の基本電圧ＢＶ（１）−ＢＶ（ｍ）のうちの４個の基本電圧ＢＶ（１）−ＢＶ（４）からなる基本電圧グループＶＧ（１）と補正調整データＡＤが入力される。ガンマ特性調整ユニット２１（１）は、補正調整データＡＤに基づいて基本電圧グループＶＧ（１）の基本電圧の中から一つを基準電圧に選択し、また、接続点グループＣＧ（１）に含まれる基準電圧出力端子候補ＧＶ（８）ａ−ＧＶ（８）ｄの中から一つを選択して基準電圧の出力端子とする。例えば、補正調整データＡＤにより基本電圧ＢＶ（２）と基準電圧出力端子候補ＧＶ（８）ａを選択した場合には、本実施の形態のガンマ補正回路１０は基本電圧ＢＶ（２）を基準電圧出力端子候補ＧＶ（８）ａから出力する。他のガンマ特性調整ユニット２１（２）−２１（ｎ）についても同様に動作するので、説明を省略する。
【００２０】
なお、図２において基本電圧生成回路１１の高位側の電源ＶＨ１とガンマ補正抵抗回路１３の高位側の電源ＶＨ２とは異なる電圧として図示しているが等電圧としてもよく、同様に、基本電圧生成回路１１の低位側の電源ＶＬ１とガンマ補正抵抗回路１３の低位側の電源ＶＬ２とは異なる電圧として図示しているが等電圧としてもよい。
【００２１】
本実施の形態のガンマ補正回路１０では、同一の階調デジタルデータＤに対して、基本電圧からの基準電圧の選択と、基準電圧の出力先としての基準電圧出力端子の選択との２重の調整が可能である。図３は本実施の形態による階調表示デジタルデータとデータ線駆動出力電圧との特性の調整範囲を概念的に示す図である。図３においては、階調表示デジタルデータに対応する基準電圧を上方または下方に調整できる（縦軸方向の調整）とともに階調表示デジタルデータに対応する基準電圧出力端子をも選択できる（横軸方向の調整）ので、ガンマ補正特性の調整範囲を広くすることが可能となる。これにより同一構成のガンマ補正回路で種々のパネルモジュールのガンマ補正に対応させることができる。
【００２２】
図４（ａ）はガンマ特性調整ユニット２１（ｉ）の一実施例の回路図であり、図４（ｂ）は補正調整データの一例を示す図である。ガンマ特性調整ユニット２１（ｉ）は、データラッチ４１と、基準電圧セレクタ４２と、演算増幅器４３と接続点セレクタ４４とを備えて構成されている。
【００２３】
データラッチ４１は、例えば外部から図６のコントローラを介して入力される補正調整データＡＤをラッチ用クロックＣＬＫの所定のタイミングで取り込んで保持する。図４（ｂ）に示すように、データラッチ４１に保持された補正調整データＡＤの第１の所定部分ＡＤａが基準セレクタ４２の選択データとして使用され、データラッチ４１に保持された補正調整データの第２の所定部分ＡＤｂが接続点セレクタ４４の選択データとして使用される。なお、基準電圧セレクタ４２に入力される基本電圧の数が多い場合、または、接続点セレクタ４４で選択される基準電圧出力端子候補の数が多い場合には、補正調整データＡＤの第１および第２の所定部分を符号化した状態でデータラッチ４１に入力し、周知の技術の応用によりデータラッチに保持された補正データＡＤの第１の所定部分ＡＤａをさらにデコードして基準セレクタ４２に供給するようにし、同様にデータラッチに保持された補正データＡＤの第２の所定部分ＡＤｂをさらにデコードして接続点セレクタ４４に供給するようにガンマ特性調整ユニットを構成することも可能である。
【００２４】
基準電圧セレクタ４２は、複数の基本電圧を含む基本電圧グループＶＧ（ｉ）を入力し、データラッチ４１に保持された補正調整データＡＤの第１の所定部分に基づいて基本電圧グループＶＧ（ｉ）の基本電圧の中から１個を基準電圧として選択して出力する。
【００２５】
接続点セレクタ４４は、第１の端子Ｔ１、第２の端子Ｔ２、複数のスイッチＳ０１−Ｓ０４を含むスイッチ回路５０およびスイッチＳ０１−Ｓ０４と同数の基準電圧出力端子候補ＧＶ（ｊ）ａ−ＧＶ（ｊ）ｄを有している。データラッチ４１に保持された補正調整データＡＤの第１の所定部分ＡＤａに基づいてスイッチ回路５０の選択されたスイッチが閉となって第１の端子Ｔ１および第２の端子Ｔ２と電気的に接続される基準電圧出力端子候補を選択する。
【００２６】
演算増幅器４３は、基準電圧セレクタ４２の出力が正入力端に入力され、負入力端が第１の端子Ｔ１に接続され、出力端が第２の端子Ｔ２に接続されている。
【００２７】
図４に示したガンマ特性調整ユニット２１（ｉ）の第１実施例では、基準電圧セレクタ４２により基本電圧グループＶＧ（ｉ）の中から１個の基本電圧を基準電圧として選択する。選択された基準電圧は演算増幅器４３によりインピーダンス変換されて接続点セレクタ４４のスイッチ回路５０内の選択されたスイッチＳ０１を通じて選択された基準電圧端子候補ＧＶ（ｊ）ａから出力される。
【００２８】
図５はガンマ特性調整ユニット２１（ｉ）の第２実施例の回路図である。図４（ａ）の第１実施例と比較して、第２実施例は接続点セレクタ４４ａが２個のスイッチ回路を有して構成されている点が異なっている。すなわち、接続点セレクタ４４ａは、第１のスイッチ回路５１と第２のスイッチ回路５２とを有している。
【００２９】
第１のスイッチ回路５１は、それぞれの一端が共通に接続されるとともに第１の端子Ｔ１と接続され他端がそれぞれに対応する基準電圧電圧出力端子候補に接続されたスイッチＳ１１−Ｓ１４を含んでいる。
【００３０】
第２のスイッチ回路５２は、第１のスイッチ回路５１内のスイッチＳ２１−２４と対応して設けられた同数のスイッチを含み、それぞれのスイッチの一端が共通に接続されるとともに第２の端子Ｔ２と接続され、他端が第１のスイッチ回路５１内の対応するスイッチの他端と接続されている。
【００３１】
補正調整データＡＤの第２の所定部分ＡＤｂにより例えば第１のスイッチ回路５１内のスイッチＳ１１−Ｓ１４の中の１個のスイッチＳ１１が選択されて閉となり、同時に第２のスイッチ回路５２内の対応するスイッチＳ２１が閉となる。
【００３２】
本実施例において図４（ａ）の第１実施例での動作と同様に、基準電圧セレクタ４２により基本電圧グループＶＧ（ｉ）の中から１個の基本電圧を基準電圧として選択し、選択された基準電圧は演算増幅器４３によりインピーダンス変換されて接続点セレクタ４４ａのスイッチ回路５２内の選択されたスイッチＳ２１を通じて選択された基準電圧端子候補ＧＶ（ｊ）ａから出力される。
【００３３】
図４（ａ）の第１実施例では第１の端子Ｔ１と第２の端子Ｔ２とは接続点セレクタ４４内で接続されて同電位となっていたため、演算増幅器４３の出力端と負入力端とは短絡されていたが、本実施例では第１の端子Ｔ１と第２の端子Ｔ２とは接続点セレクタ４４ａ内では接続されておらず、演算増幅器４３の出力端は第２の端子Ｔ２を介してスイッチ回路５２に接続され演算増幅器４３の負入力端は第１の端子Ｔ１を介してスイッチ回路５１に接続されている。このため、図４（ａ）の第１実施例の接続点セレクタ４４では、選択されて閉となったスイッチのオン抵抗が小さくない場合にはガンマ補正抵抗回路１３からスイッチに電流が流れることによりスイッチで電圧降下が生じ、この電圧降下が原因となって選択された基準電圧出力端子に出力される基準電圧の値と基準電圧セレクタにて選択された基準電圧の値との間に電圧誤差が生じるおそれがあり、これを回避するために図４（ａ）の第１実施例ではスイッチのオン抵抗を十分に小さくして設計する必要がある。
【００３４】
これに対し図５の第２の実施例の接続点セレクタ４４ａでは、演算増幅器４３の負入力端に接続されるスイッチと演算増幅器の出力端に接続されるスイッチとが別なため、スイッチのオン抵抗が小さくない場合においてもガンマ補正抵抗回路１３から演算増幅器４３の負入力端へ電流が流れないので、選択された基準電圧出力端子に出力される基準電圧の値と基準電圧セレクタにて選択された基準電圧の値との間に電圧誤差が生じることがない。したがってスイッチの抵抗値設計が容易となり、また誤差要因が削除されたことで高精度の調整が可能である。
【００３５】
【発明の効果】
以上に説明したように、本発明によれば、同一の階調デジタルデータＤに対して、基本電圧からの基準電圧の選択と、基準電圧の出力先としての基準電圧出力端子の選択との２段階の選択による２重の調整が可能であるので、ガンマ補正特性の調整範囲を広くすることが可能となる。これにより同一構成のガンマ補正回路で種々のパネルモジュールのガンマ補正に対応させることができ、従来例に比べより汎用性に優れたガンマ補正回路を提供することが可能となる。
【図面の簡単な説明】
【図１】本発明のガンマ補正回路を含む表示パネル駆動装置のブロック図である。
【図２】本発明のガンマ補正回路の一実施の形態の回路図である。
【図３】本発明による階調表示デジタルデータとデータ線駆動出力電圧との特性の調整範囲を概念的に示す図である。
【図４】（ａ）はガンマ特性調整ユニットの第１実施例の回路図であり、（ｂ）は補正調整データの一例を示す図である。
【図５】ガンマ特性調整ユニットの第２実施例の回路図である。
【図６】表示システムの全体の構成を示すブロック図である。
【図７】ガンマ補正が施された階調表示デジタルデータとデータ線駆動出力電圧との関係を示す特性図である。
【図８】従来のガンマ補正特性の調整が可能なガンマ補正回路の回路図である。
【図９】図８の従来例におけるガンマ補正が施された階調表示デジタルデータとデータ線駆動出力電圧との関係を示す特性図である。
【符号の説明】
１０，１００　　ガンマ補正回路
１１　　基本電圧生成回路
１２　　ガンマ補正調整回路
１３　　ガンマ補正抵抗回路
２１（１），２１（ｉ），２１（ｎ）　　ガンマ特性調整ユニット
４１　　データラッチ
４２　　基準電圧セレクタ
４３　　演算増幅器
４４，４４ａ　　接続点セレクタ
５０，５１，５２　　スイッチ回路
１０１　　データ線駆動回路
１０２　　走査線駆動回路
１０３　　表示パネル
１０４　　コントローラ
１０５，１０５ａ　　表示パネル駆動装置
ＡＤ　　補正調整データ
ＢＶ（１），ＢＶ（ｍ）　　基本電圧
ＧＶ（１），ＧＶ（８ｎ＋７）　　階調電圧
【図１】
2004111262.tif 000003
【図２】
2004111262.tif 000004
【図３】
2004111262.tif 000005
【図４】
2004111262.tif 000006
【図５】
2004111262.tif 000007
【図６】
2004111262.tif 000008
【図７】
2004111262.tif 000009
【図８】
2004111262.tif 000010
【図９】
2004111262.tif 000011